(57)【要約】      （修正有）【課題】ケーキのような崩れ易い商品や、植木のような傷つき易い商品を容易に搬送容器に収容することができ、しかも安全な搬送がなし得るとともに、これら商品を容器から取り出す際も容易かつ迅速に行える搬送容器を提供する。【解決手段】上面が開放２されたほぼ直方状の搬送容器本体１と、その底面３の縦方向中央全体に亘って穿たれかつ、その両側端から搬送容器本体１の両側壁面を上り、搬送容器本体１の上記開放２近くまで穿ったスリット５とで構成され、上記搬送容器本体１の両側壁面に穿ったスリット５の上端は、使用者の指あるいは手が挿入できて搬送容器本体１が容易に搬送できるようにした。【選択図】図３
0003145771.tif 000002
【実用新案登録請求の範囲】
【請求項１】
上面が開放（２）されたほぼ直方状の搬送容器本体（１）と、その底面（３）の縦方向中央全体に亘って穿たれかつ、その両側端から搬送容器本体（１）の両側壁面（４）（４）を上り、搬送容器本体（１）の上記開放（２）近くまで穿ったスリット（５）とで構成され、上記搬送容器本体（１）の両側壁面（４）（４）に穿ったスリット（５）の上端は、使用者の指あるいは手が挿入できて搬送容器本体（１）が容易に搬送できるようにしたことが特徴の簡易搬送容器。
【考案の詳細な説明】
【技術分野】
【０００１】本案は函に収容されたケーキや、植木や、その他比較的小型の商品を搬送するに適した簡易搬送容器に関する。
【背景技術】
【０００２】しかして従来この種の考案としては、参考文献１に示すようにがある。しかしてこの考案は、廉価でありながら良好な意匠性を有し、繰り返し使用が可能で物品の収容時においてはそれらの溢れ出しを防止することが出来、且、不使用時においては簡単にコンパクトな収納状態を保持することが出来るようにしたもので、可撓性を有する生地を、上部に開口した袋状に形成し、該袋体の左右両端それぞれに、該生地を上方に延出した延出部を輪状にして手提げ可能とし得る把手を形成し、開口部をなす一方の生地にのみ該開口部の中央に該開口部上辺から上方に所定の幅で所定の高さだけ凸状に延設した蓋片部を有してなり、収納時には、蓋片部を有さない側の外側中央上部に対して把手を含む袋体全体を折り寄せ、蓋片部を開口部を跨ぐように折り曲げて折り寄せた袋体全体を該蓋片部で巻回する様に覆って、コンパクトな収納状態を保持出来るようにしたことにある。【０００３】しかし従来のそれは、商品の収容が容易であることおよび、容器より商品を取り出す作業が容易となるような工夫はなされていない。【０００４】
【特許文献１】登録実用新案第３１３０５２９号
【考案の開示】
【考案が解決しようとする課題】
【０００５】然るに本案は、ケーキのような崩れ易い商品や、植木のような傷つき易い商品を容易に搬送容器に収容することができ、しかも安全な搬送がなし得るとともに、これら商品を容器から取り出す際も容易かつ迅速におこえるようにした簡易搬送容器に関する。
【課題を解決するための手段】
【０００６】しかして本考案搬送容器の特徴は、上面が開放（２）されたほぼ直方状の搬送容器本体（１）と、その底面（３）の縦方向中央全体に亘って穿たれかつ、その両側端から搬送容器本体（１）の両側壁面（４）（４）を上り、搬送容器本体（１）の上記開放（２）近くまで穿ったスリット（５）とで構成され、上記搬送容器本体（１）の両側壁面（４）（４）に穿ったスリット（５）の上端は、使用者の指あるいは手が挿入できて搬送容器本体（１）が容易に搬送できるようにしたことにある。
【本案の効果】
【０００７】従来例えばケーキを収めた容器を、容器本体（１）に収める場合、かかる容器の底面を容器本体（１）の上面の開放（２）部に差し込むのは比較的容易であるが、その余の差込は容器本体（１）の下方が座屈して仕舞い入りずらいものである。
【０００８】その点本案搬送容器本体（１）は、その底面（３）と両側壁面（４）（４）にスリット（５）を設けたから、かかるスリット（５）の下方を相反する方向に少し開くだけで、ケーキが修められた容器と本案容器本体（１）の間に少しの緩みが生じるので、簡単にケーキの入った容器を容器本体（１）に収めることができるのである。
【０００９】また、このケーキの容器を収容した本案容器本体（１）を搬送するとき使用者は、上記スリット（５）の上端部に指あるいは手が挿入して搬送する。この場合かかるスリット（５）の上端部が支点となるから、スリット（５）の下方即ち容器本体（１）の底面（３）は、その外方向から中心方向に向う力が働き、搬送時の揺動があってもスリット（５）が開くことなく安定して搬送できるというものである。
【００１０】さらに、従来手提げ袋などの容器本体収められたケーキなどの容器を、かかる手提げ袋から取り出すのに、どうしても容器揺れ動くのを阻止できず、ケーキが型崩れするなどの不祥事があった。
【００１１】この点本案搬送容器本体（１）は、その底面（３）と両側壁面（４）（４）に設けたスリット（５）の下方を相反する方向に広く開けば、収められたケーキの容器を本案容器本体（１）から簡単に取り出すことができるようになったのである。
【００１２】なお本案搬送容器本体（１）の上辺内面にあってその中央部一方に、舌片（９）を設けた実施例のものは、他方の容器本体（１）の上辺を前記舌片（９）の裏面と容器本体（１）の内面間に挟むもので、斯くなすことによって容器本体（１）の上面の開放（２）部は閉ざされ体裁がよいばかりか、容器のような収容物を容器本体（１）内に確実保持できるようになったのである。
【実施例１】
【００１３】次に本考案の一実施例を述べる。図で（１）は、比較的硬質の革、紙、織布あるいは繊維質の組成物、軟質の樹脂材料などで造られた搬送容器本体で、その上面が開放（２）された角形函状となっている。【００１４】（５）は、この搬送容器本体（１）の幅方向の略中央の底面（３）から、搬送容器本体（１）の両側壁面（４）（４）の向かいかつ、該両側壁面（４）（４）その上方に向かって伸びるスリットで図示のものはその上端部が、搬送のため手あるいは指を挿入することがでる円形状の透孔（７）が設けられている。【００１５】しかして図３に示すように、例えばケーキを収めた容器（６）を、本案搬送容器本体（１）に収める場合、上記スリット（５）の下方を相反する方向に少し開くことで、ケーキが修められた容器（６）と本案容器本体（１）の間に少しの緩みが生じるので、簡単にケーキの入った容器を容器本体（１）に収めることができるのである。【００１６】また、このケーキの容器を収容した本案容器本体（１）を搬送する場合、使用者は上記スリット（５）の上端部に指あるいは手が挿入して搬送する。この場合かかるスリット（５）の上端部が支点となるから、スリット（５）の下方即ち容器本体（１）の底面（３）は、その外方向から中心方向に向う力が働き、搬送時の揺動があってもスリット（５）が開くことなく安定して搬送できるというものである。【００１７】さらに容器本体（１）収められたケーキなどの容器（６）を取り出すのには、搬送容器本体（１）の底面（３）と両側壁面（４）（４）に設けたスリット（５）の下方を相反する方向に広く開けば、収められたケーキの容器を本案容器本体（１）から簡単に取り出すことができるのである。
【実施例の２】
【００１８】また、図３、図６、図７に示した実施例のものは、上記本案搬送容器本体（１）の上辺内面の一方中央に舌片（９）を設けたものである。そしてかかる舌片（９）は下方が湾曲がした板状のもので、その上辺のみを容器本体（１）の上辺内面に縫着（８）したもので、その結果かかる舌片（９）の下方は容器本体（１）の内面に沿わせた状態で垂下している。
【００１９】しかして容器本体（１）に容器などの内容物を収容させたのち、舌片（９）を設けない容器本体（１）の上辺を前記舌片（９）の裏面と容器本体（１）の内面間に挟むもので、斯くなすことによって容器本体（１）の上面の開放（２）部は閉ざされ体裁がよいばかりか、容器のような収容物を容器本体（１）内に確実保持できるようになったのである。
【００２０】なお図５の実施例は、本案容器本体（１）を縦長のものとし、比較的小さい鑑賞用植木などの搬送としての容器を想定したものである。
【図面の簡単な説明】
【００２１】
【図１】搬送容器本体の正面図
【図２】図１のＡ−Ａ線断面図
【図３】ケーキの容器を搬送容器本体に収容する際の斜視図
【図４】同ケーキの容器を取り出す際の搬送容器本体の斜視図
【図５】植木が収容された他の実施例の搬送容器本体の斜視図
【図６】他の実施例で、搬送容器本体上部の断面説明図で容器本体の上面が開いた状態のもの
【図７】同閉じた状態の断面説明図
【符号の説明】
【００２２】１  搬送容器本体
２  開放
３  底面
４  両側壁面
５  スリット
６  ケーキ容器
７  透孔
８  縫着
９  舌片
【図１】
0003145771.tif 000003
【図２】
0003145771.tif 000004
【図３】
0003145771.tif 000005
【図４】
0003145771.tif 000006
【図５】
0003145771.tif 000007
【図６】
0003145771.tif 000008
【図７】
0003145771.tif 000009